(57)【要約】【課題】ケース内に侵入した水が回路構成体に付着することを回避できる電気接続箱を提供することを目的とする。【解決手段】電気接続箱１には、２枚の回路構成体１０、２０と、回路構成体１０、２０を収容するケーシング３０と、ケーシング３０に組み付けられて外部コネクタと嵌合可能なフード部４１を備えるコネクタ部４０とを備えられている。コネクタ部４０のフード部４１には、成形のための金型を型抜きするのに伴って貫通形成される抜き穴４５が形成されている。ケーシング３０には、抜き穴４５と、複数の回路構成体１０、２０のうち抜き穴４５の開口位置の最も近傍に配される第１回路構成体１０との間を仕切る止水壁３９が設けられている。このような構成によれば、抜き穴４５を通って侵入した水がこの止水壁３９によってブロックされ、第１回路構成体１０にまで到達しない。これにより、回路構成体１０に水分が付着して短絡を起こすことを回避できる。【選択図】図６
2010283985.tif 000002
【特許請求の範囲】
【請求項１】
導電路が形成された回路基板と、この回路基板に実装されるスイッチング素子とを備える複数の回路構成体と、この回路基板に実装されるスイッチング素子とを備える複数の回路構成体と、
前記複数の回路構成体を収容するケーシングと、
外部コネクタと嵌合可能なフード部を備え、前記ケーシングに組み付けられるコネクタ部であって、前記フード部には成形時に金型を型抜きするのに伴って貫通形成される抜き穴が形成されているコネクタ部と、を備え、
前記ケーシングには、前記コネクタ部における前記抜き穴の開口部と、前記複数の回路構成体のうち前記抜き穴の開口位置の最も近傍に配される回路構成体との間を仕切る止水壁が設けられている、電気接続箱。
【請求項２】
前記止水壁が、前記コネクタ部が前記ケーシングに組み付けられた状態で前記コネクタ部において抜き穴が開口している壁部に沿うように配されている、請求項１に記載の電気接続箱。
【発明の詳細な説明】
【技術分野】
【０００１】
本発明は、電気接続箱に関する。
【背景技術】
【０００２】
車載電源から各種電装品へ電力を分配するために、自動車のエンジンルーム内等に配設される電気接続箱は、導電路が形成された回路基板と、回路基板の表面側に配されるスイッチング部材とを備えた回路構成体を樹脂製のケース内に収容したものである。
【先行技術文献】
【特許文献】
【０００３】
【特許文献１】実用新案登録第２５７１８８９号公報
【発明の概要】
【発明が解決しようとする課題】
【０００４】
この種の電気接続箱には、一般に、外部コネクタとの接続のためのコネクタ部が備えられている。コネクタ部には筒状のフード部が備えられており、このフード部の内部に外部コネクタを嵌合可能とされている。
【０００５】
このようなコネクタ部においては、外部コネクタとの係合のためのロック爪がフード部の内部に設けられる。このため、コネクタ部の成形時においてロック爪を形成するための金型の抜き穴が、フード部の上部に開口されることとなる。このような構成では、コネクタ部の内部に入り込んだ水がこの抜き穴を通ってケースの内部に侵入するおそれがある。侵入した水が回路構成体に付着すると、回路基板に形成された回路が短絡することが懸念される。
【０００６】
このような事態を回避するために、フード部の内側面および相手側コネクタの外側面にグリスを塗布しておくことで、フード部と相手側コネクタとの隙間から水が入り込むことを防ぐなどの対応策が取られている。しかし、自動車の使用期間が長くなるとグリスの劣化により止水性能が維持できなくなることが懸念される。
【０００７】
本発明は上記のような事情に基づいて完成されたものであって、ケース内に侵入した水が回路構成体に付着することを回避できる電気接続箱を提供することを目的とする。
【課題を解決するための手段】
【０００８】
本発明に係る電気接続箱は、導電路が形成された回路基板と、この回路基板に実装されるスイッチング素子とを備える複数の回路構成体と、前記複数の回路構成体を収容するケーシングと、前記ケーシングに組み付けられて外部コネクタと嵌合可能なフード部を備えるコネクタ部であって、前記フード部には成形のための金型を型抜きするのに伴って貫通形成される抜き穴が形成されているコネクタ部と、を備え、前記ケーシングには、前記抜き穴と、前記複数の回路構成体のうち前記抜き穴の開口位置の最も近傍に配される回路構成体との間を仕切る止水壁が設けられているものである。
【０００９】
このような構成によれば、抜き穴を通って侵入した水が止水壁によってブロックされ、回路構成体にまで到達しない。これにより、回路構成体に水分が付着して短絡を起こすことを回避できる。
【００１０】
本発明の態様としては、以下の態様が好ましい。
【００１１】
前記止水壁が、前記コネクタ部が組み付けられた状態で前記コネクタ部において抜き穴が開口している壁部に沿うように配されていてもよい。このような構成によれば、止水壁が抜き穴の開口部を塞ぐ状態となるから、抜き穴を通って侵入する水をブロックする止水機能がより確実に発揮される。
【発明の効果】
【００１２】
本発明によれば、抜き穴を通って侵入した水が止水壁によってブロックされ、回路構成体にまで到達しない。これにより、回路構成体に水分が付着して短絡を起こすことを回避できる。
【図面の簡単な説明】
【００１３】
【図１】実施形態における電気接続箱の斜視図
【図２】実施形態における電気接続箱の正面図
【図３】実施形態における電気接続箱の上面図
【図４】実施形態における電気接続箱の下面図
【図５】実施形態における電気接続箱の側面図
【図６】図２のＡ−Ａ断面図
【図７】実施形態におけるロアケースの斜視図
【発明を実施するための形態】
【００１４】
以下、本発明を具体化した実施形態を図１〜図７を参照して説明する。本実施形態の電気接続箱１は、例えば、車載バッテリー等の電源と各電子装置等の負荷との間に介されて、各電子装置への電源供給の制御を行なう電力分配器として用いられるものである。この電気接続箱１には、垂直な姿勢で互いに距離を隔てて並列して収容される２枚の回路構成体１０、２０と、これらの回路構成体１０、２０を収容するケーシング３０とが備えられている。
【００１５】
２枚の回路構成体１０、２０は、それぞれ全体として矩形状をなしている。これらの回路構成体１０、２０には、詳細には図示しないが、表面に所定の導電路が形成されたプリント基板と、このプリント基板の表面に実装された半導体スイッチング素子Ｓ等の実装部品とが備えられている。
【００１６】
ケーシング３０は、合成樹脂により形成され、ロアケース３１と、このロアケースに組み付けられるアッパカバー３２とから構成されている。ロアケース３１は、全体として、前面が開放された方形の箱状をなす。一方、アッパカバー３２は、全体として、後面が開放された方形の箱状をなしており、ロアケース３１に対し、その前面の開口を塞ぐように組み付けられる。ロアケース３１の側壁外面には複数の係止突起３３が設けられており、アッパカバー３２においてロアケース３１の係止突起３３に対応する位置には、係止片３４が設けられている。そして、係止突起３３と係止片３４とが係合することで、ロアケース３１とアッパカバー３２とが互いに離間不能に組み付けられる。
ロアケース３１の後壁３５における内側面には、低背に形成された複数の第１脚部３６と、この第１脚部３６よりも高背に形成された複数の第２脚部３７とが、それぞれ前方に向かって突設されている。
【００１７】
ケーシング３０の内部には、第１回路構成体１０がロアケース３１の第１脚部３６上に載置された状態で収容され、第１脚部３６に対してネジ止めにより固定される。一方、第２回路構成体２０は第２脚部３７上に載置された状態で収容され、第２脚部３７に対してネジ止めにより固定される。これにより、第１回路構成体１０は、ロアケース３１の後壁内側面からやや前方へ離間した位置に、垂直な姿勢で支持される。また、第２回路構成体２０は、第１回路構成体１０よりもやや前方（アッパカバー３２側）に距離を隔てた位置に、垂直な姿勢で支持される。
【００１８】
ロアケース３１およびアッパカバー３２の底壁部にはそれぞれ切り欠きが設けられており、この切り欠きは両者が組み付けられてケーシング３０となった状態で２箇所のコネクタ装着口３８を構成する。このコネクタ装着口３８には、外部コネクタ（図示せず）と嵌合可能なコネクタ部４０を装着可能とされている。
ロアケース３１の後壁内側面において、２箇所のコネクタ装着口３８のうち一方（図１の右側）のコネクタ装着口３８Ａよりもコネクタ部４０の高さ分奥まった（言い換えればコネクタ装着口３８Ａよりもコネクタ部４０の高さ分だけ上方の）位置には、このコネクタ装着口３８Ａの幅方向全体にわたって前方に突出する止水壁３９が設けられている。
【００１９】
このコネクタ装着口３８に取り付けられるコネクタ部４０は、合成樹脂によりケーシング３０の幅方向に沿って延びる横長のブロック状に形成されている。このコネクタ部４０には、下方へ開放された筒状のフード部４１が複数備えられており、ここに外部コネクタを嵌合することができるようになっている。コネクタ部４０は、フード部４１の開口部がケーシング３０のコネクタ装着口３８から外方へ臨むようにしてケーシング３０内部に収容されている。フード部４１の内部には、Ｌ形に曲げ形成された端子４２の一端部が、奥壁を貫通して突出されている。端子４２の他端部は、回路構成体１０、２０に開口されたスルーホール１１、２１に挿入され、半田付けにより固定される。
【００２０】
コネクタ部４０がケーシング３０に取り付けられた状態では、第１回路構成体１０がフード部４１の天井壁４４の上方に位置している。一方、第２回路構成体２０はフード部４１の前方に位置し、その下端部がフード部４１の前方に垂下される状態となっている。
【００２１】
フード部４１の内部には、外部コネクタとの係合のためのロック爪４３が形成されており、したがって、このフード部４１の天井壁４４には、コネクタ部４０の成形時にこのロック爪４３を形成するための金型の抜き穴４５が貫通形成されている。ここで、上記のようにケーシング３０には止水壁３９が設けられており、コネクタ部４０がケーシング３０に取り付けられると、止水壁３９がフード部４１の天井壁４４に沿う位置に配される。止水壁３９の突出長さは、コネクタ部４０がケーシング３０に装着された状態で抜き穴４５の開口部を完全にカバーすることが可能な長さとされている。これにより、止水壁３９がコネクタ部４０における抜き穴４５の開口部と第１回路構成体１０との間を仕切り、かつ、抜き穴４５を上側から塞ぐ状態となる。
【００２２】
上記のように構成された電気接続箱１では、コネクタ部４０の成形時においてフード部４１の内部に外部コネクタとの係合のためのロック爪４３を形成するための金型の抜き穴４５が、フード部４１の天井壁４４に開口されることとなる。また、２枚の回路構成体１０、２０のうち第１回路構成体１０がコネクタ部４０の上側に配され、その下端縁が抜き穴４５の近傍に位置することとなる。このため、コネクタ部４０の内部に侵入した水がこの抜き穴４５を通ってケーシング３０の内部に入り込み、第１回路構成体１０に付着すると、第１回路構成体１０上に形成された回路が短絡することが懸念される。
【００２３】
しかし、本実施形態では、ケーシング３０に止水壁３９が設けられており、抜き穴４５と第１回路構成体１０との間が仕切られている。このような構成によれば、抜き穴４５を通って侵入した水がこの止水壁３９によってブロックされ、第１回路構成体１０にまで到達しない。これにより、回路構成体１０に水分が付着して短絡を起こすことを回避できる。
【００２４】
ここで、ケーシング３０の内部に回路構成体が１枚しか収容されていない場合であれば、例えば回路構成体をコネクタ部における抜き穴の開口部から離して収容すること、あるいは、ケーシング内にボッティング材を充填して回路構成体を覆うこと、等の工夫により、水が回路構成体に到達することを回避することも可能である。しかし、本実施形態のように複数の回路構成体１０、２０がケーシング３０内部に収容される場合では、上記のような対策を採用しようとすると、電気接続箱の大型化、設計の自由度の減少等の不都合が生じる。これに対し、本実施形態では、止水壁３９を設けるという簡易な構成により、電気接続箱のコンパクト化や設計の自由度を確保しつつ、回路構成体１０への水分の付着を回避することができる。
【００２５】
また、止水壁３９が、コネクタ部４０におけるフード部４１の天井壁４４（抜き穴４５が開口する壁部）に沿うように配されて、抜き穴４５の開口部を塞ぐ状態となっている。これにより、抜き穴４５を通って侵入する水をブロックする止水機能がより確実に発揮される。
【００２６】
＜他の実施形態＞
本発明は上記記述及び図面によって説明した実施形態に限定されるものではなく、例えば次のような実施形態も本発明の技術的範囲に含まれる。
【００２７】
（１）上記実施形態によれば、ケーシング３０の内部に２枚の回路構成体１０、２０が収容されていたが、３枚以上の回路構成体がケーシングの内部に収容されていても構わない。
（２）上記実施形態では、ケーシング３０に取り付けられるコネクタ部のうち一のコネクタ部４０（図１の右側）に対応する止水壁３９を例にとり説明したが、他のコネクタ部（図１の左側）のコネクタ部４０に対応する位置にも止水壁が設けられていてもよい。
【符号の説明】
【００２８】
１...電気接続箱
１０、２０...回路構成体
３０...ケーシング
４１...フード部
４０...コネクタ部
４５...抜き穴
３９...止水壁
【図１】
2010283985.tif 000003
【図２】
2010283985.tif 000004
【図３】
2010283985.tif 000005
【図４】
2010283985.tif 000006
【図５】
2010283985.tif 000007
【図６】
2010283985.tif 000008
【図７】
2010283985.tif 000009